(57)【特許請求の範囲】
【請求項１】
両側の立ち上がり側壁の上端に、幅方向へ突出する連係板座を長尺方向に沿って形成してなる据付レール上に固定され、該据付レール上に装着された装着機器が据付レールに沿って移動しないよう固定する据付レール用固定金具において、
下部両側から下方に突出してその先端部を相互に対向させるように屈曲させる一対の係止爪と、各係止爪の屈曲部分に形成されて連係板座に遊嵌する一対の遊嵌溝部とを有する外筐片と、
該外筐片の内部に形成される摺動間隙に上下に摺動可能に保持される昇降片と、
外筐片の上部に形成される上下方向のネジ孔に螺合して、その先端を前記摺動間隙内で上下させる固定ネジとを備えてなり、
据付レールの各連係板座を遊嵌溝部に遊嵌した状態で前記固定ネジの先端を下降して該先端で昇降片を下方へ押圧することにより、各連係板座の端部を係止爪と昇降片の下底面の間で挟持するものであり、
各係止爪の先端部の上縁には、連係板座の端部を挟持する際に該端部を下方から挟圧することとなる挟圧縁が形成されており、また、各係止爪の、挟圧縁の基端側には、下方付勢された連係板座の端部を挟圧縁の上へと案内するよう傾斜する傾斜案内縁が形成されていると共に、
昇降片の下部には、据付レールの上部に対して幅方向に略遊びのないように外嵌する密嵌凹部が形成され、昇降片の上部には、摺動間隙内で固定ネジの先端が内嵌する案内凹部が形成されており、
該案内凹部は下方に向けて縮幅する形状をなし、固定ネジの先端を案内凹部の下部まで挿入すると、該先端が案内凹部と幅方向に略遊びのない状態で内嵌することにより、密嵌凹部の両端部が係止爪の挟圧縁と幅方向に一致する位置において昇降片が幅方向に摺動不能となるよう設定されており、
固定ネジの先端を案内凹部の上部から下部へ進出させると、該先端と案内凹部の側面との間の案内作用によって昇降片が幅方向に摺動して、各連係板座の端部が係止爪の挟圧縁の上に位置するように密嵌凹部に内嵌する据付レールを相対移動させることを特徴とする据付レール用固定金具。
【請求項２】
両側の立ち上がり側壁の上端に、幅方向へ突出する連係板座を長尺方向に沿って形成してなる据付レール上に固定され、該据付レール上に装着された装着機器が据付レールに沿って移動しないよう固定する据付レール用固定金具において、
下部両側から下方に突出してその先端部を相互に対向させるように屈曲させる一対の係止爪と、各係止爪の屈曲部分に形成されて連係板座に遊嵌する一対の遊嵌溝部とを有する外筐片と、
該外筐片の内部に形成される摺動間隙に上下に摺動可能に保持される昇降片と、
外筐片の上部に形成される上下方向のネジ孔に螺合して、その先端を前記摺動間隙内で上下させる固定ネジとを備えてなり、
据付レールの各連係板座を遊嵌溝部に遊嵌した状態で前記固定ネジの先端を下降して該先端で昇降片を下方へ押圧することにより、各連係板座の端部を係止爪と昇降片の下底面の間で挟持するものであり、
各係止爪の先端部の上縁には、連係板座の端部を挟持する際に該端部を下方から挟圧することとなる挟圧縁が形成されており、また、各係止爪の、挟圧縁の基端側には、下方付勢された連係板座の端部を挟圧縁の上へと案内するよう傾斜する傾斜案内縁が形成されていると共に、
昇降片の下部には、据付レールの上部に対して幅方向に略遊びのないように外嵌する密嵌凹部が形成されており、
外筐片には、昇降片の幅方向の摺動範囲を規制する規制部が形成されており、
昇降片が摺動間隙の上方寄りに位置する状態では、昇降片と規制部との間に幅方向に遊びが生じ、昇降片が摺動間隙の下方寄りに位置する状態では、昇降片と規制部の間の遊びがなくなることにより、密嵌凹部の両端部が係止爪の挟圧縁と幅方向に一致する位置において昇降片が幅方向に摺動不能となるよう設定されており、
昇降片を摺動間隙内で下降させると、外筐片の規制部と昇降片との間の案内作用によって昇降片が幅方向に摺動して、各連係板座の端部が係止爪の挟圧縁の上に位置するように密嵌凹部に内嵌する据付レールを相対移動させることを特徴とする据付レール用固定金具。
【請求項３】
両側の立ち上がり側壁の上端に、幅方向へ突出する連係板座を長尺方向に沿って形成してなる据付レール上に固定され、該据付レール上に装着された装着機器が据付レールに沿って移動しないよう固定する据付レール用固定金具において、
下部両側から下方に突出してその先端部を相互に対向させるように屈曲させる一対の係止爪と、各係止爪の屈曲部分に形成されて連係板座に遊嵌する一対の遊嵌溝部とを有する外筐片と、
該外筐片の内部に形成される摺動間隙に上下に摺動可能に保持される昇降片と、
外筐片の上部に形成される上下方向のネジ孔に螺合して、その先端を前記摺動間隙内で上下させる固定ネジとを備えてなり、
据付レールの各連係板座を遊嵌溝部に遊嵌した状態で前記固定ネジの先端を下降して該先端で昇降片を下方へ押圧することにより、各連係板座の端部を係止爪と昇降片の下底面の間で挟持するものであり、
各係止爪の先端部の上縁には、連係板座の端部を挟持する際に該端部を下方から挟圧することとなる挟圧縁が形成されており、また、各係止爪の、挟圧縁の基端側には、下方付勢された連係板座の端部を挟圧縁の上へと案内するよう傾斜する傾斜案内縁が形成されていると共に、
摺動間隙に、外筐片に対して昇降片を下方付勢する弾性材が設けられ、該弾性材は、固定ネジのネジ本体に外嵌して、上端部を外筐片に、下端部を昇降片に当接させる圧縮コイルバネであり、
外筐片は、摺動間隙の少なくとも一側寄り位置に、前記圧縮コイルバネの上端部と当接して、該上端部を摺動間隙の反対側寄りに案内し、該上端部を前記ネジ本体と干渉した状態で保持する案内保持部を有することを特徴とする据付レール用固定金具。
【請求項４】
外筐片は、摺動間隙の少なくとも一側寄り位置に上下方向の装着溝を有し、
前記圧縮コイルバネは、その外周部を前記装着溝に嵌合させており、
前記案内保持部は、上方に向けてテーパー状に縮幅する装着溝上部の側縁部であることを特徴とする請求項３記載の据付レール用固定金具。
【請求項５】
外筐片は、前記案内保持部と摺動間隙を挟んで対向する位置に、前記圧縮コイルバネの上端部と当接して、該当接部分を案内保持部よりも低い位置で係止する係止部を有することを特徴とする請求項４記載の据付レール用固定金具。
【発明の詳細な説明】
【技術分野】
【０００１】
本発明は、据付レール上に取り付けられて、据付レール上に装着された端子台等の装着機器が据付レールに沿って移動しないように固定する据付レール用固定金具に関する。
【背景技術】
【０００２】
導線を接続する複数の接続部を備え、各接続部に接続された各導線相互を電気的に接続する端子台は種々提案されている。このような端子台は、据付レール上に保持されて、複数列設され、集合端子台を構成することとなる（例えば特許文献１参照）。図１１に示すように、前記据付レールＡは、両側の立ち上がり側壁Ｄ，Ｄの上端に、幅方向へ突出する連係板座Ｅ，Ｅを長尺方向に沿って形成してなり、導線相互を接続する端子台Ｃの下部に設けられた係合部（図示省略）を連係板座Ｅ，Ｅの下面に係合して、複数の端子台Ｃを整列状に保持するものである。そして、この据付レールＡ上に保持された集合端子台Ｂが据付レールＡに沿って移動しないようにするために、据付レール用固定金具（以下、「固定金具」と略す。）１ｂ，１ｂが装着される。
【０００３】
従来の固定金具１ｂは、図１２に示すように、外筐片３ｂと、該外筐片３ｂの内部に上下方向に摺動可能に保持され、下部両側から下方突出する一対の係止爪１１ｂ，１１ｃが形成された昇降片４ｂとを、固定ネジ５ｂと角ナット３１により組み付けてなるものである。一対の係止爪１１ｂ，１１ｃは、略Ｌ字状に屈曲してその先端部を相互に対向させており、各係止爪１１ｂ，１１ｃの屈曲部分には、連係板座Ｅ，Ｅを遊嵌させる一対の遊嵌溝部１２ｂ，１２ｃが形成される。ここで、一方の係止爪１１ｃは他方の係止爪１１ｂよりも大きく、大きい係止爪１１ｃに形成される遊嵌溝部１２ｃは、他方の遊嵌溝部１２ｂよりも深いものとなっている。
【０００４】
上記固定金具１ｂは、図１３の（ａ）〜（ｄ）に示す手順によって、据付レールＡに装着する。すなわち、まず、固定ネジ５ｂを緩めた状態で固定金具１ｂを据付レールＡに対して傾けて、深い方の遊嵌溝部１２ｃに一方の連係板座Ｅに遊嵌させる（図１３ａ）。続いて連係板座Ｅを遊嵌溝部１２ｃの奥まで挿入した状態で、傾けた固定金具１ｂを水平にする（図１３ｂ）。次いで、固定金具１ｂを深い方の遊嵌溝部１２ｃ方向にスライドさせて、浅い方の遊嵌溝部１２ｂに他方の連係板座Ｅを遊嵌させ（図１３ｃ）、各係止爪１１ｂ，１１ｃの先端を各連係板座Ｅの下方に回り込ませる。最後に固定ネジ５ｂを締め付けて昇降片４ｂを外筐片３ｂに対して上昇させることにより、各係止爪１１ｂ，１１ｃと外筐片３ｂとの間に各連係板座Ｅ，Ｅを挟持して、固定金具１ｂを据付レールＡに固定する（図１３ｄ）。
【０００５】
【特許文献１】特開２００３−３３１９４７号公報  （段落０００３、図７）
【発明の開示】
【発明が解決しようとする課題】
【０００６】
上記従来の固定金具にあっては、両側の係止爪の先端が各連係板座と係合し得る状態において固定ネジを締結するために、一方の遊嵌溝部の深さを浅くして、該遊嵌溝部の奥に連係板座を挿入することによって位置合わせを行うようになっている。このため、据付レールに装着する際に、必ず深い方の遊嵌溝部を先に据付レールと嵌合させなければならず、装着時に遊嵌溝部の深い方を確認する手間が生じている。また、固定ネジで締め付ける際に、連係板座が浅い方の遊嵌溝部から脱落しないよう手で押さえておかないと固定金具の固定が不安定になり、装着が上手く行かないことがある。
【０００７】
本発明は、かかる現状に鑑みてなされたものであり、据付レールへの装着が容易な固定金具の提供を目的とする。
【課題を解決するための手段】
【０００８】
本発明は、両側の立ち上がり側壁の上端に、幅方向へ突出する連係板座を長尺方向に沿って形成してなる据付レール上に固定され、該据付レール上に装着された装着機器が据付レールに沿って移動しないよう固定する据付レール用固定金具において、下部両側から下方に突出してその先端部を相互に対向させるように屈曲させる一対の係止爪と、各係止爪の屈曲部分に形成されて連係板座に遊嵌する一対の遊嵌溝部とを有する外筐片と、該外筐片の内部に形成される摺動間隙に上下に摺動可能に保持される昇降片と、外筐片の上部に形成される上下方向のネジ孔に螺合して、その先端を前記摺動間隙内で上下させる固定ネジとを備えてなり、据付レールの各連係板座を遊嵌溝部に遊嵌した状態で前記固定ネジの先端を下降して該先端で昇降片を下方へ押圧することにより、各連係板座の端部を係止爪と昇降片の下底面の間で挟持するものであり、各係止爪の先端部の上縁には、連係板座の端部を挟持する際に該端部を下方から挟圧することとなる略水平方向の挟圧縁が形成されており、また、各係止爪の、挟圧縁の基端側には、下方付勢された連係板座の端部を挟圧縁の上へと案内するよう傾斜する傾斜案内縁が形成されていることと特徴とする据付レール用固定金具である。
【０００９】
かかる構成にあっては、据付レールの各連係板座に遊嵌溝部を遊嵌した状態で昇降片によって据付レールを下方付勢すると、連係板座の端部が挟圧縁の上方に位置していなくても、係止爪の傾斜案内縁と連係板座の端部との間の案内作用によって、連係板座の端部が挟圧縁の上へと案内されることとなる。このため、本発明の据付レール用固定金具は、固定ネジによって据付レールに固定する際に、各係止爪と連係板座とが係合するように幅方向の位置あわせを行う手間が必要ない。また、従来のように、位置あわせのために一方の遊嵌溝部を浅くせずともよいため、左右の遊嵌溝部を区別せずに連係板座と嵌合させることができる。
【００１０】
また、本発明の据付レール用固定金具にあって、昇降片の下部には、据付レールの上部に対して幅方向に略遊びのないように外嵌する密嵌凹部が形成され、昇降片の上部には、摺動間隙内で固定ネジの先端が内嵌する案内凹部が形成されており、該案内凹部は下方に向けて縮幅する形状をなし、固定ネジの先端を案内凹部の下部まで挿入すると、該先端が案内凹部と幅方向に略遊びのない状態で内嵌することにより、密嵌凹部の両端部が係止爪の挟圧縁と幅方向に一致する位置において昇降片が幅方向に摺動不能となるよう設定されており、固定ネジの先端を案内凹部の上部から下部へ進出させると、該先端と案内凹部の側面との間の案内作用によって昇降片が幅方向に摺動して、各連係板座の端部が係止爪の挟圧縁の上に位置するように密嵌凹部に内嵌する据付レールを相対移動させる構成が提案される。
【００１１】
かかる構成にあっては、固定ネジの先端が案内凹部の上部に位置する状態では、固定ネジの先端と案内凹部の間の遊びの範囲内で昇降片を摺動可能となるため、据付レールの連係板座に外筐片の遊嵌溝部を遊嵌させる際に、昇降片が邪魔にならないように幅方向に摺動させることができる。そして、固定ネジの先端を案内凹部の上部から下部へと進出させると、下方に縮幅する案内凹部の側面と固定ネジ先端の案内作用によって、固定ネジの先端を案内凹部の下部へ導きいれるように昇降片が幅方向に摺動し、密嵌凹部に据付レールが嵌合している状態であれば、据付レールが外筐片に対して相対移動してその連係板座を各係止爪の挟圧縁の上に位置させることとなる。したがって、かかる構成によれば、前記傾斜案内縁と連係板座との間の案内作用が相互の摩擦力などによって十分に作用しない場合でも、固定ネジと昇降片との間の案内作用によって固定金具と据付レールを正しく位置合わせすることができる。
【００１２】
また、本発明の据付レール用固定金具にあって、昇降片の下部には、据付レールの上部に対して幅方向に略遊びのないように外嵌する密嵌凹部が形成されており、外筐片には、昇降片の幅方向の摺動範囲を規制する規制部が形成されており、昇降片が摺動間隙の上方寄りに位置する状態では、昇降片と規制部との間に幅方向に遊びが生じ、昇降片が摺動間隙の下方寄りに位置する状態では、昇降片と規制部の間の遊びがなくなることにより、密嵌凹部の両端部が係止爪の挟圧縁と幅方向に一致する位置において昇降片が幅方向に摺動不能となるよう設定されており、昇降片を摺動間隙内で下降させると、外筐片の規制部と昇降片との間の案内作用によって昇降片が幅方向に摺動して、各連係板座の端部が係止爪の挟圧縁の上に位置するように密嵌凹部に内嵌する据付レールを相対移動させる構成が提案される。
【００１３】
かかる構成にあっては、昇降片が摺動間隙の上方寄りに位置する状態では、昇降片と規制部との間の遊びの範囲内で昇降片を幅方向に摺動可能であるため、据付レールの連係板座に外筐片の遊嵌溝部を遊嵌させる際に、昇降片が邪魔にならないように幅方向に摺動させることができる。昇降片を摺動間隙内で下降させると、外筐片の規制部と昇降片との間の案内作用によって昇降片が幅方向に移動して、密嵌凹部に据付レールを嵌合している状態であれば、据付レールが外筐片に対して相対移動してその連係板座を各係止爪の挟圧縁の上に位置させることとなる。したがって、かかる構成によれば、前記傾斜案内縁と連係板座との間の案内作用が相互の摩擦力などによって十分に作用しない場合でも、外筐片の規制部と昇降片との間の案内作用によって固定金具と据付レールを正しく位置合わせすることができる。
【００１４】
また、本発明の据付レール用固定金具にあって、摺動間隙に、外筐片に対して昇降片を下方付勢する弾性材が設けられている構成が提案される。弾性材としては圧縮コイルバネや板バネなどが挙げられる。かかる構成にあっては、昇降片が摺動間隙内で下方付勢されるため、据付レールの各連係板座を遊嵌溝部に遊嵌した際に、昇降片が据付レールを下方に押圧し、昇降片と係止爪との間で各連係板座を挟圧することとなり、固定ネジを締め付ける前に据付レールを仮保持することが可能となる。このため、かかる構成によれば、固定ネジを締め付ける際に固定金具を手で押さえる手間を省くことができる。
【００１５】
また、本発明の据付レール用固定金具にあって、前記弾性材は、固定ネジのネジ本体に外嵌して、上端部を外筐片に、下端部を昇降片に当接させる圧縮コイルバネであり、外筐片は、摺動間隙の少なくとも一側寄り位置に、前記圧縮コイルバネの上端部と当接して、該上端部を摺動間隙の反対側寄りに案内し、該上端部を前記ネジ本体と干渉した状態で保持する案内保持部を有する構成が提案される。かかる構成にあっては、圧縮コイルバネがネジ本体のネジ山と干渉して固定ネジを押圧することにより、固定ネジのガタツキが抑えられ、固定ネジが緩み難くなる。したがって、本構成によれば、固定ネジの先端をカシメたり、接着剤を塗布したり、また、ネジ本体を必要以上に長くしたりするなどの、固定ネジの緩みを防止する手段が不要となる。
【００１６】
また、上記構成にあって、さらに、外筐片は、摺動間隙の少なくとも一側寄り位置に上下方向の装着溝を有し、前記圧縮コイルバネは、その外周部を前記装着溝に嵌合させており、前記案内保持部は、上方に向けてテーパー状に縮幅する装着溝上部の側縁部である構成が提案される。かかる構成によれば、圧縮コイルバネの弾性力を利用し、簡易な構成によって、圧縮コイルバネの上端部をネジ本体と干渉した状態で保持可能となる。
【００１７】
また、上記構成にあって、さらに、外筐片は、前記案内保持部と摺動間隙を挟んで対向する位置に、前記圧縮コイルバネの上端部と当接して、該当接部分を案内保持部よりも低い位置で係止する係止部を有する構成が提案される。かかる構成にあっては、圧縮コイルバネの上端部は、摺動間隙の他側寄り位置で係止部に係止されて、摺動間隙の他側寄りに屈曲することとなるため、該上端部をネジ本体と強く干渉させることが可能となる。
【発明の効果】
【００１８】
以上に述べたように、本発明によれば、固定金具を固定ネジによって据付レールに固定する際に、固定金具と据付レールの位置あわせを極めて簡単に行うことができる。また、遊嵌溝部の一方を浅くする構成が不要であるため、遊嵌溝部の左右を確認することなく遊嵌溝部を連係板座に遊嵌させることができる。
【発明を実施するための最良の形態】
【００１９】
以下に、本発明の実施形態を実施例に従って説明する。
【００２０】
＜第一実施例＞
本実施例の据付レール用固定金具１は、図１に示すように、既存の固定金具と同様に据付レールＡの上に固定されて、据付レールＡの上に装着された端子台Ｃが据付レールＡに沿って移動しないように固定するものである。
【００２１】
固定金具１は、図２〜５に示すように、下部両側から下方突出してその先端部を相互に対向させるように屈曲させる左右一対の係止爪１１，１１と、各係止爪１１の屈曲部分に形成されて連係板座Ｅを遊嵌させる一対の遊嵌溝部１２，１２とを有する外筐片３と、該外筐片３の内部に形成される摺動間隙１３に上下に摺動可能に保持される昇降片４と、外筐片３の上部に形成された上下方向のネジ孔１０と螺合して、その先端３０を前記摺動間隙１３内で上下させる固定ネジ５と、摺動間隙１３に配設されて、昇降片４を下方付勢する圧縮コイルバネ６とを具備してなる。
【００２２】
外筐片３は所要形状に打ち抜いた金属板片を屈曲加工してなるものである。外筐片３は、前後に対向する一対の側板部８，８と、該側板部８の上縁を相互に連係する上板部９とからなる側面視略伏コ字状をなしており、対向する側板部８，８の間に前記昇降片４を保持する略等幅の摺動間隙１３が形成される。
【００２３】
各側板部８，８は、左右対称で下部が幅広な略台形状をなしている。また、その両側下部は下方に突出して左右一対の係止爪１１，１１を形成している。係止爪１１，１１は、その先端部１５が相互に対向するように内側に向けて略Ｌ字状に屈曲しており、各係止爪１１の屈曲部分には、連係板座Ｅを遊嵌させる左右一対の遊嵌溝部１２，１２が形成される。かかる構成にあっては、係止爪１１の先端部１５同士の間隔は、据付レールＡの上幅よりも僅かに狭く設定され、係止爪１１の基端同士の間隔は、据付レールＡの上幅よりも広く設定されており、据付レールＡを傾けて各連係板座Ｅを順番に遊嵌溝部１２に挿入することにより、外筐片３を据付レールＡの上部に外嵌させ得るようになっている。ここで、本実施例の係止爪１１及び遊嵌溝部１２は左右対称形状をなしており、遊嵌溝部１２の左右を区別することなく各連係板座Ｅを挿入することができる。
【００２４】
また、各係止爪１１の先端部１５の上縁には、連係板座Ｅの端部を挟持する際に下方から圧接することとなる略水平な挟圧縁１８が形成される。また、各係止爪１１の、挟圧縁１８の基端側には、中央下方に傾斜して、連係板座Ｅの端部を挟圧縁１８の上へ案内する傾斜案内縁１９が形成されている。
【００２５】
側板部８，８の係止爪１１を形成する箇所には、摺動間隙１３に突出して昇降片４の下方への脱落を防止する横長な脱落防止突部１６が絞り加工によって形成されている。また、側板部８の上部中央には、圧縮コイルバネ６を装着するための装着溝１７が開口している。
【００２６】
外筐片３の上板部９には上下方向のネジ孔１０が形成されており、該ネジ孔１０に、上方から固定ネジ５が螺合して、その先端３０を摺動間隙１３内に突出させている。
【００２７】
昇降片４は金属板を打ち抜いてなるものであり、外筐片３と略同程度の大きさの正面略台形状をなしている。昇降片４は、外筐片３の摺動間隙１３の幅と略等しい肉厚であり、該摺動間隙１３内に摺動可能に保持される。
【００２８】
昇降片４の下部には、据付レールＡの上部と略等幅をなす密嵌凹部２０が切欠状に形成される。この密嵌凹部２０は、図２に示すように、外筐片３の各係止爪１１，１１の間に位置しており、各連係板座Ｅを遊嵌溝部１２に遊嵌させると、密嵌凹部２０が据付レールＡの上部に対して幅方向に略遊びがない状態で外嵌するように設定されている。
【００２９】
昇降片４の上部中央には、図５に示すように、切欠状の案内凹部２１が下方に向けて形成される。案内凹部２１は、固定ネジ５の径の約２倍の幅をなす上部の幅広部２１ａと、固定ネジ５の径と略等幅な下部の幅狭部２１ｃと、幅広部２１ａと幅狭部２１ｃとの間で下方にテーパー状に縮幅する縮幅部２１ｂとで構成される。案内凹部２１には、図２に示すように、固定ネジ５の先端３０が内嵌しており、昇降片４は該先端３０によって幅方向の摺動範囲を規制されている。すなわち、固定ネジ５の先端３０が幅広部２１ａに位置して両者の間に遊びがある状態では、昇降片４を該遊びの範囲内で幅方向に摺動できるが、固定ネジ５の先端３０が幅狭部２１ｃに位置し、両者の間に遊びが殆どなくなった状態では、昇降片４は幅方向に殆ど摺動不能となる。ここで、固定ネジ５の先端３０が幅狭部２１ｃに位置する状態では、図２に示すように、昇降片４の密嵌凹部２０の両端部と、係止爪１１の挟圧縁１８の位置が幅方向に一致するよう設定されている。かかる構成によれば、固定ネジ５の先端３０が摺動間隙１３の上部に位置する状態で、据付レールＡの上部を密嵌凹部２０に嵌合させ、固定ネジ５の先端３０を下方に進出させると、案内凹部２１の縮幅部２１ｂの側面と固定ネジ５の先端３０との間の案内作用によって、該先端３０を案内凹部２１の幅狭部２１ｃに導き入れるように昇降片４が幅方向に摺動し、各連係板座Ｅの両端部が挟圧縁１８の上に位置するように密嵌凹部２０ａに内嵌する据付レールＡが相対移動することとなる。
【００３０】
また、案内凹部２１には、圧縮コイルバネ６が保持される。この圧縮コイルバネ６は、固定ネジ５に外嵌して、その下端を案内凹部２１の底面に、その上端を外筐片３の上板部９に当接させており、その弾性力によって外筐片３に対して昇降片４を下方付勢する。
【００３１】
固定金具１は、図４に示すように、外筐片３の摺動間隙１３に、側方から昇降片４を挿入し、かかる状態で、案内凹部２１に圧縮コイルバネ６を装着し、さらに固定ネジ５をネジ孔１０に螺合して先端３０を案内凹部２１に進出させることにより組み立てられる。
【００３２】
固定金具１を据付レールＡに装着する手順を、図６を参照して説明する。まず、固定ネジ５を回転させて、その先端３０を摺動間隙１３の上部に位置させる。そして、この状態で、固定金具１を傾けて、一側の遊嵌溝部１２の奥まで一方の連係板座Ｅを挿入する（図６ａ）。この時、固定ネジ５の先端３０と案内凹部２１との間には十分な遊びがあるため、昇降片４が邪魔にならないよう連係板座Ｅによって昇降片４を斜め上方に押し上げておくことができる。
【００３３】
次に、一方の連係板座Ｅを一側の遊嵌溝部１２の奥まで挿入した状態で、傾けた固定金具１を水平になるよう傾動させ、他側の遊嵌溝部１２を他方の連係板座Ｅに外嵌させる（図６ｂ参照）。これにより、両側の連係板座Ｅが各遊嵌溝部１２に遊嵌するとともに、昇降片４の密嵌凹部２０が据付レールＡの上部に外嵌する。なお、本実施例の固定金具１は左右対称であり、両側の遊嵌溝部１２のいずれを先に連係板座Ｅに遊嵌させても構わない。
【００３４】
図６ｂに示す状態で固定金具１から手を放すと、圧縮コイルバネ６の付勢力により外筐片３対して昇降片４が下方へ摺動することによって、外筐片３が据付レールＡに対して上昇し、外筐片３の係止爪１１と昇降片４の下底面との間に各連係板座Ｅが挟まれて、固定金具１が仮止めされる（図６ｃ参照）。
【００３５】
固定金具１を仮止めした状態で、さらに、ドライバー等により固定ネジ５を回転させて固定ネジ５の先端３０を下降させ、該先端３０により昇降片４を下方に押圧する。これにより、係止爪１１と昇降片４に挟まれた各連係板座Ｅがより強く挟圧されて、固定金具１が据付レールＡに対して完全に固定される（図６ｄ参照）。
【００３６】
このように、本実施例の固定金具１は、固定金具１を傾けて両側の遊嵌溝部１２を各連係板座Ｅに外嵌し、圧縮コイルバネ６により仮止めをした状態で固定ネジ５を締め付けることによって据付レールＡに装着される。ここで、本実施例の固定金具１にあっては、上記装着手順において、据付レールＡと固定金具１の幅方向の位置合わせが装着手順の過程で自動的になされるため、作業者が、両係止爪１１の挟圧縁１８の上で連係板座Ｅの端部を確実に保持することができる。
【００３７】
すなわち、各連係板座Ｅの端部が挟圧縁１８の上に位置していなくても、各係止爪１１の、挟圧縁１８の基端側には、中央下方に傾斜して連係板座Ｅの端部を挟圧縁１８の上へと案内する傾斜案内縁１９が形成されているため、連係板座Ｅを外筐片３と昇降片４とで挟持する際に、連係板座Ｅが昇降片４に下方に押圧されることによって傾斜案内縁１９と連係板座Ｅの端部と間に案内作用が生じ、連係板座Ｅの端部が挟圧縁１８の上に位置するよう案内されるのである。また、傾斜案内縁１９と連係板座Ｅの端部との間の案内作用が不十分であった場合でも、固定ネジ５で昇降片４を押し下げる際に、固定ネジ５の先端３０と案内凹部２１側面との間の案内作用によって、各連係板座Ｅが挟圧縁１８の上に位置するように、据付レールＡと外筐片３とを幅方向に相対移動できる。
【００３８】
このように、本実施例にあっては、固定金具１を据付レールＡに装着する際に、固定金具１と据付レールＡの幅方向の位置あわせをする手間が不要となる。また、固定金具１を装着する際に、連係板座Ｅをどちらの遊嵌溝部１２へ先に挿入しても構わないため、固定金具１の左右を確認する手間も不要である。したがって、本実施例の固定金具１は従来よりも容易に据付レールＡに装着できる。
【００３９】
また、本実施例の固定金具１は、固定ネジ５によって据付レールＡに固定する際に、圧縮コイルバネ６によって仮止めすることができるから、固定ネジ５の締結時に固定金具１を手で保持する手間も不要となる。
【００４０】
＜第二実施例＞
次に、上記第一実施例の構成を一部変更し、外筐片と昇降片との間の案内作用によって据付レールと固定金具との位置あわせを可能とした第二実施例について説明する。なお、本実施例の固定金具は、多くの構成が第一実施例と同じであり、構成の共通する部分については図面中で同一符号を付して説明を省略する。
【００４１】
本実施例の固定金具１ａは、第一実施例の固定金具１（図１参照）同様にして据付レールＡ上に装着されるものであり、図７〜１０に示すように、下部両側から下方突出してその先端部を相互に対向させるように屈曲させる左右一対の係止爪１１，１１と、各係止爪１１の屈曲部分に形成されて連係板座Ｅを遊嵌させる一対の遊嵌溝部１２，１２とを有する外筐片３ａと、該外筐片３ａの内部に形成される摺動間隙１３ａに上下に摺動可能に保持される昇降片４ａと、外筐片３ａの上部に形成された上下方向のネジ孔１０ａと螺合して、その先端３０を前記摺動間隙１３ａ内で上下させる固定ネジ５と、摺動間隙１３ａに配設されて、昇降片４ａを下方付勢する圧縮コイルバネ６とを具備してなる。
【００４２】
外筐片３ａは所要形状に打ち抜いた金属板片を屈曲加工してなるものである。外筐片３ａは、前後に対向する一対の側板部８ａ，８ａと、該側板部８ａの上縁を相互に連係する上板部９ａとからなる側面視略伏コ字状をなしており、対向する側板部８ａ，８ａの間に前記昇降片４を保持する略等幅の摺動間隙１３ａが形成される。
【００４３】
各側板部８ａ，８ａは、略凸字形状をなしており、その両側下部は下方に突出して左右一対の係止爪１１，１１を形成している。係止爪１１，１１の構成は上記第一実施例と同じである。
【００４４】
また、側板部８ａ，８ａの係止爪１１を形成する箇所には、摺動間隙１３に突出して昇降片４ａの下方への脱落を防止する円形の脱落防止突部１６ａが絞り加工によって形成されている。また、側板部８ａの上部中央には、圧縮コイルバネ６を装着するための装着溝１７ａが開口している。
【００４５】
また、各側板部８ａ，８ａの両側部には、摺動間隙１３ａに突出して、昇降片４ａの幅方向の摺動範囲を規制する規制部２３か形成される。この規制部２３は、後述するように昇降片４ａの側面と当接し、昇降片４ａに対して案内作用を発揮する。
【００４６】
外筐片３ａの上板部９には上下方向のネジ孔１０ａが形成されており、該ネジ孔１０ａに、上方から固定ネジ５が螺合して、その先端３０を摺動間隙１３ａ内に突出させている。
【００４７】
昇降片４ａは金属板を打ち抜いてなるものであり、外筐片３ａと略等幅の横長帯状をなしている。昇降片４ａは、外筐片３ａの摺動間隙１３ａの幅と略等しい肉厚であり、該摺動間隙１３ａ内に摺動可能に保持される。
【００４８】
昇降片４ａの両側下部には、外下方に向けて一対の係止突部２５，２５が突成されており、該係止突部２５，２５の間に据付レールＡの上部と略等幅をなす密嵌凹部２０ａが形成される。この密嵌凹部２０ａは、図７に示すように、外筐片３ａの各係止爪１１，１１の間に位置しており、各連係板座Ｅを遊嵌溝部１２に遊嵌させると、密嵌凹部２０ａが据付レールＡの上部に対して幅方向に略遊びがない状態で外嵌するように設定されている。
【００４９】
昇降片４ａは、図１０に示すように、下方に向けて徐々に縮幅する形状をなし、その側面に下方に向けて内側に傾斜する滑らかな案内面２４を形成している。昇降片４ａは、図７に示すように、外筐片３ａの規制部２３，２３の間で上下に摺動可能に保持されている。また、昇降片４ａは、その狭幅な部分が規制部２３の間に位置する状態では、規制部２３との間に遊びが生じることとなり、該遊びの範囲内において幅方向に摺動可能となる。一方、昇降片４ａが下降し、昇降片４ａの幅広な部分が規制部２３，２３の間に密嵌して両者の間に遊びがなくなると、昇降片４ａは幅方向に摺動不能となる。ここで、昇降片４ａの幅広な部分が規制部２３，２３の間に密嵌する状態では、図７に示すように、昇降片４ａの密嵌凹部２０ａの両端部と、各係止爪１１の挟圧縁１８とが幅方向に一致するよう設定されている。
【００５０】
かかる構成によれば、昇降片４ａを上方に押し上げて据付レールＡの上部を密嵌凹部２０ａに嵌合させた後に昇降片４ａを下降させると、規制部２３と案内面２４との間の案内作用によって昇降片４ａが幅方向に摺動して規制部２３に密嵌する。そして、これに伴って据付レールＡが外筐片３ａに対して相対移動して、各連係板座Ｅの両端部が挟圧縁１８の上に位置することとなる。
【００５１】
このように、本実施例の固定金具１ａによれば、据付レールＡへの装着時に、傾斜案内縁１９と連係板座Ｅの端部との間の案内作用に加えて、外筐片３ａの規制部２３と昇降片４ａの案内面２４との間の案内作用によって、各連係板座Ｅが挟圧縁１８の上に位置するよう据付レールＡを相対移動させることができる。したがって、傾斜案内縁１９と連係板座Ｅの端部との間の案内作用が不十分であった場合でも、外筐片３ａと昇降片４ａとの間の案内作用によって据付レールＡと固定金具１ａの位置あわせを確実に行うことができる。
【００５２】
＜第三実施例＞
次に、上記第二実施例の構成を一部変更し、圧縮コイルバネと固定ネジを干渉させる構成とした第三実施例について説明する。なお、本実施例の固定金具は多くの構成が第二実施例と同じであり、構成の共通する部分については図面中で同一符号を付して説明を省略する。
【００５３】
本実施例の固定金具１ｃは、図１４〜１６に示すように、側板部８ａと上板部９ａとからなる側面視略伏コ字状の外筐片３ｃを具備してなる。かかる外筐片３ｃと第二実施例の外筐片３ａとで構成の異なる点は、側板部８ａの上部中央に開口する上下方向の装着溝１７ａ，１７ｂである。外筐片３ｃの正面側の装着溝１７ｂは、図１６（ａ）に示すように、その上部が上方に向けてテーパー状に縮幅しており、該装着溝上部の側縁部を、圧縮コイルバネ６ａの上端部を背面側寄りに案内し、保持する案内保持部３２としている。一方、図１６（ｂ）に示すように、背面側の装着溝１７ａは、第二実施例と同様に上下に亘って等幅をなしている。
【００５４】
本実施例の圧縮コイルバネ６ａは、ネジ山５２を有する固定ネジ５のネジ本体５１の外径よりも内径が大きく、該ネジ本体５１に外嵌し、その上端部を外筐片３ｃに、その下端部を昇降片４ａに当接させることにより、外筐片３ｃに対して昇降片４ａを下方付勢している。また、圧縮コイルバネ６ａは、摺動間隙１３ａの幅よりも外径が大きく、摺動間隙１３ａに完全には収まりきらず、その外周部の前後両側部は各装着溝１７ａ，１７ｂに嵌合している。
【００５５】
かかる構成によれば、図１５に示すように、圧縮コイルバネ６ａの上端部の正面側部分が案内保持部３２に当接することとなる。案内保持部３２は上方に向けて縮幅しているため、圧縮コイルバネ６ａの上端部が弾性力によって伸び上がろうとすると、該上端部は案内保持部３２の案内作用によって背面側に案内され、ネジ本体５１のネジ山５２と図１５中のＹ部分で干渉し、かかる干渉状態で保持されることとなる。
【００５６】
このように本実施例の固定金具１ｃにあっては、固定ネジ５は、圧縮コイルバネ６ａの上端部によって押圧されているため、ガタツキ難くなり、緩み難くなる。したがって、本実施例の固定金具は、固定ネジ５の先端をカシメたり、接着剤を塗布したりすることなく、固定ネジ５の緩みを簡単に防止可能となる。
【００５７】
＜第四実施例＞
次に、上記第三実施例の構成から、背面側の装着溝の構成を変更した第四実施例について説明する。なお、本実施例の固定金具は、その他の構成が第三実施例と同じであり、構成の共通する部分については図面中で同一符号を付して説明を省略する。
【００５８】
本実施例にあっては、図１７（ａ），（ｂ）に示すように、外筐片３ｄの背面側の装着溝１７ｃの上縁部が正面側の装着溝１７ｂの上縁部よりも低くなっており、該装着溝１７ｃの水平な上縁部を、圧縮コイルバネ６ａの上端部を案内保持部３２より低い位置で係止する係止部３３としている。
【００５９】
本実施例の固定金具１ｄにあっては、図１８に示すように、圧縮コイルバネ６ａの上端部は摺動間隙１３ａの背面側寄り位置で係止部３３に係止され、摺動間隙１３ａの背面側に屈曲することとなる。このため、圧縮コイルバネ６ａの上端部は、案内保持部３２の案内作用に加えて、係止部３３による圧縮コイルバネ６ａを屈曲させる作用によって、背面側寄りに変位することとなる。したがって、本実施例では、第三実施例に比べて、圧縮コイルバネ６ａの上端部が図中Ｙ部分でネジ山５２とより強く干渉することとなり、固定ネジ５の緩みをより確実に防止できる。
【００６０】
＜第五実施例＞
次に、上記第三実施例の構成から、正面側と背面側の装着溝の構成を変更した第五実施例について説明する。なお、本実施例の固定金具は、その他の構成が第三実施例と同じであり、構成の共通する部分については図面中で同一符号を付して説明を省略する。
【００６１】
本実施例にあっては、図１９に示すように、外筐片３ｅの正面及び背面側には、同形状の装着溝１７ｄ，１７ｄが、前後に対向する位置に形成される。各装着溝１７ｄは、その上部が上方に向けてテーパー状に縮幅しており、該装着溝上部の側縁部を、圧縮コイルバネ６ａの上端部を背面側に案内・保持する案内保持部３２ａ，３２ａとしている。また、案内保持部３２ａの下端両側には、水平な縁部が延成されており、該縁部を、圧縮コイルバネ６ａの上端部を案内保持部３２ａより低い位置で係止する係止部３３ａとしている。
【００６２】
本実施例の固定金具１ｅにあっては、図２０に示すように、圧縮コイルバネ６ａの上端部は、摺動間隙１３ａのいずれか一側（図中左側）の案内保持部３２ａと当接して反対側（図中右側）に案内される。また、本実施例では、一側の案内保持部３２に案内された上端部は、反対側で装着溝１７ｃと深く嵌合するよう設定されており、該反対側では案内保持部３２ａと当接せずに水平な係止部３３ａと当接し、案内保持部３２ａよりも低い位置で係止される。
【００６３】
このように、本実施例にあっては、両側の装着溝１７ｄにそれぞれ案内保持部３２ａと係止部３３ａが形成されており、圧縮コイルバネ６ａの上端部は、いずれか一側の案内保持部３２ａの案内作用によって反対側寄りに偏在するとともに、反対側の係止部３３ａの係止によって反対側寄りに屈曲することとなる。したがって、本実施例の構成にあっては、案内保持部３２ａと係止部３３ａの相乗的な作用によって、図２０中Ｙ部分において圧縮コイルバネ６ａの上端部とネジ本体５１のネジ山５２とを強く干渉させ、固定ネジ５の緩みを確実に防ぐことができる。また、本実施例にあっては、前後の装着溝１７ｄが同形状であり、外筐片３ａは表裏対称形状をなしているため、圧縮コイルバネ６ａを外筐片３ｅに組み付ける際に、外筐片３ａの表裏を区別する手間が不要であるという利点がある。
【００６４】
なお、本発明における固定金具は、上記実施例の形態に限らず本発明の要旨を逸脱しない範囲内において種々変更を加えることができる。例えば、上記実施例は、端子台を装着する据付レールに用いる固定金具であったが、本発明は、端子台を装着する据付レールに用いるものに限らず、各種の装着機器を装着する据付レールに対する固定金具に適用できる。また、上記実施例では、昇降片は、摺動間隙の幅と略等しい肉厚の金属片を打ち抜いてなるものであったが、本発明に係る昇降片は、かかる構成に限らず、例えば、薄い金属片を略コ字状に屈曲加工して、摺動間隙の幅と略等しい厚みとしたものであっても構わない。
【図面の簡単な説明】
【００６５】
【図１】据付レールＡに端子台Ｃと第一実施例の固定金具１を装着した状態の斜視図である。
【図２】第一実施例の固定金具１の正面図である。
【図３】第一実施例の固定金具１の側面図である。
【図４】第一実施例の固定金具１の分解斜視図である。
【図５】第一実施例の固定金具１の分解正面図である。
【図６】第一実施例の固定金具１の装着手順を示す説明図である。
【図７】第二実施例の固定金具１ａの正面図である。
【図８】第二実施例の固定金具１ａの側面図である。
【図９】第二実施例の固定金具１ａの分解斜視図である。
【図１０】第二実施例の固定金具１ａの分解正面図である。
【図１１】据付レールＡに端子台Ｃと従来構成の固定金具１ｂを装着した状態の斜視図である。
【図１２】従来構成の固定金具１ｂの分解斜視図である。
【図１３】従来構成の固定金具１ｂを据付レールＡに固定する手順を示す説明図である。
【図１４】第三実施例の固定金具１ｃの正面図である。
【図１５】図１４中のＸ−Ｘ部分で外筐片３ｃを切断して示す縦断側面図である。
【図１６】第三実施例の外筐片３ｃの（ａ）正面図及び（ｂ）背面図である。
【図１７】第四実施例の外筐片３ｄの（ａ）正面図及び（ｂ）背面図である。
【図１８】圧縮コイルバネ６ａと固定ネジ５の干渉態様を示す、第四実施例の固定金具１ｄの縦断側面図である。
【図１９】第五実施例の外筐片３ｅの正面図である。
【図２０】圧縮コイルバネ６ａと固定ネジ５の干渉態様を示す、第五実施例の固定金具１ｅの縦断側面図である。
【符号の説明】
【００６６】
１，１ａ，１ｂ，１ｃ，１ｄ，１ｅ  固定金具
３，３ａ，３ｂ，３ｃ，３ｄ，３ｅ  外筐片
４，４ａ，４ｂ  昇降片
５，５ｂ  固定ネジ
６，６ａ  圧縮コイルバネ
８，８ａ  側板部
９，９ａ  上板部
１０，１０ａ  ネジ孔
１１  係止爪
１２  遊嵌溝部
１３，１３ａ  摺動間隙
１５，１５ａ  先端部（係止爪）
１８  挟圧縁
１９  傾斜案内縁
２０，２０ａ  密嵌凹部
２１  案内凹部
２３  規制部
２４  案内面
２５  係止突部
３０  先端（固定ネジ）
３２，３２ａ  案内保持部
３３，３３ａ  係止部
５１  ネジ本体
Ａ  据付レール
Ｃ  端子台
Ｄ  立ち上がり側壁
Ｅ  連係板座
【図１】
0005134387.tif 000002
【図２】
0005134387.tif 000003
【図３】
0005134387.tif 000004
【図４】
0005134387.tif 000005
【図５】
0005134387.tif 000006
【図６】
0005134387.tif 000007
【図７】
0005134387.tif 000008
【図８】
0005134387.tif 000009
【図９】
0005134387.tif 000010
【図１０】
0005134387.tif 000011
【図１１】
0005134387.tif 000012
【図１２】
0005134387.tif 000013
【図１３】
0005134387.tif 000014
【図１４】
0005134387.tif 000015
【図１５】
0005134387.tif 000016
【図１６】
0005134387.tif 000017
【図１７】
0005134387.tif 000018
【図１８】
0005134387.tif 000019
【図１９】
0005134387.tif 000020
【図２０】
0005134387.tif 000021